(57)【要約】      （修正有）【課題】ユーティリティプロバイダと消費者との間のエネルギー管理用のシステムおよび方法を提供する。【解決手段】コンピュータプロセッサを含み得るシステムは、ユーティリティメータ２０２に関連付けられた可読コード２０４を受信し、さらに、モバイルデバイス２０６に関連付けられた一意識別子２０５を受信するように、可読コード２０４が一意識別子２０５に関連付けられていることを検証するように、かつ、モバイルデバイス２０６に関連付けられた消費者２０７が、少なくとも１つのユーティリティメータ２０２に関連付けられたアカウント情報にアクセスすることを認可する（２１２）ように動作可能であるコンピュータ実行可能命令を記憶するように動作可能であるメモリをさらに含み得る。【選択図】図２
2013045455.tif 000002
【特許請求の範囲】
【請求項１】
ユーティリティプロバイダ（２０８）と消費者（２０７）との間のエネルギー管理の方法であって、
前記ユーティリティプロバイダ（２０８）にモバイルデバイス（２０６）の一意識別子（２０５）を登録するステップと、
前記モバイルデバイス（２０６）によって前記ユーティリティプロバイダ（２０８）に可読コード（２０４）を送信するステップであって、前記可読コード（２０４）が、可読コード（２０４）を有する少なくとも１つのユーティリティメータ（２０２）に関連付けられている、送信するステップと、
前記モバイルデバイス（２０６）の前記一意識別子（２０５）によって、前記モバイルデバイス（２０６）が前記可読コード（２０４）に関連付けられていることを検証する（２１０）ことに関連付けられた指示を受信するステップと
を含む方法。
【請求項２】
前記モバイルデバイス（２０６）の前記一意識別子（２０５）が、媒体アクセス制御アドレスである、請求項１記載の方法。
【請求項３】
前記可読コード（２０４）が、クイックレスポンス（ＱＲ）コード、バーコード、または暗号化識別コードを含む、請求項１記載の方法。
【請求項４】
前記モバイルデバイス（２０６）が、スマートフォン、携帯電話、タブレットデバイス、またはハンドヘルド通信デバイスである、請求項１記載の方法。
【請求項５】
前記指示の受信のとき、または前記指示の受信の後、前記ユーティリティプロバイダ（２０８）からのアカウント情報にアクセスするステップ（２１２）
をさらに含む、請求項１記載の方法。
【請求項６】
登録するステップ、送信するステップ、および受信するステップが、セキュアプラットフォームを使用して遂行される、請求項１記載の方法。
【請求項７】
前記モバイルデバイス（２０６）の前記一意識別子（２０５）を、複数のユーティリティプロバイダ（２０８）に登録するステップ
をさらに含む、請求項１記載の方法。
【請求項８】
ユーティリティプロバイダ（２０８）と消費者（２０７）との間のエネルギー管理の方法であって、
少なくとも１つのユーティリティメータ（２０２）にモバイルデバイス（２０６）を関連付けるステップであって、前記モバイルデバイス（２０６）が一意識別子（２０５）を備え、前記少なくとも１つのユーティリティメータ（２０２）が可読コード（２０４）を備える、関連付けるステップと、
前記モバイルデバイス（２０６）が前記少なくとも１つのユーティリティメータ（２０２）に関連付けられた前記可読コード（２０４）を送信した後、前記モバイルデバイス（２０６）からの通信を受信するステップと、
前記モバイルデバイス（２０６）が前記少なくとも１つのユーティリティメータ（２０２）に関連付けられていることを検証するステップと、
前記消費者（２０７）が、前記少なくとも１つのユーティリティメータ（２０２）に関連付けられたアカウント情報にアクセスすること（２１２）を認可するステップと
を含む方法。
【請求項９】
モバイルデバイス（２０６）の前記一意識別子（２０５）が、媒体アクセス制御アドレスである、請求項８記載の方法。
【請求項１０】
前記可読コード（２０４）が、クイックレスポンス（ＱＲ）コード、バーコード、または暗号化識別コードを含む、請求項８記載の方法。
【発明の詳細な説明】
【技術分野】
【０００１】
本発明の実施形態は、一般には、エネルギー管理に関し、より詳細には、ユーティリティプロバイダと消費者との間のエネルギー管理用のシステムおよび方法に関する。
【背景技術】
【０００２】
エネルギーの価格が上昇しているので、エネルギーを監視、制御、かつ保存する方法を見つけ出すことは優先事項であり得る。たいていの場合、消費者は、自分がユーティリティプロバイダにより料金請求されるまで、自分の電力使用量の分量に通常は気付かない。他の例では、消費者は、自分が理解しているより多くのエネルギーを使用している場合があり、または、消費者は、ピーク時の間に不必要にエネルギーを使用している場合があり、それらのことが、エネルギーコストの上昇、および／または、負荷容量の不足もしくは低減した負荷容量に起因する時々の停電をもたらす場合がある。
【発明の概要】
【０００３】
上記の必要性および／または問題の、一部または全部が、本発明のいくつかの実施形態により対処され得る。開示する実施形態は、ユーティリティプロバイダと消費者との間のエネルギー管理用のシステムおよび方法を含み得る。本発明の一実施形態によって、ユーティリティプロバイダと消費者との間のエネルギー管理用の方法を開示する。この方法は、ユーティリティプロバイダにモバイルデバイスの一意識別子を登録するステップと、モバイルデバイスによってユーティリティプロバイダに可読コードを送信するステップであって、可読コードが、可読コードを有する少なくとも１つのユーティリティメータに関連付けられている、送信するステップと、モバイルデバイスの一意識別子によって、モバイルデバイスが可読コードに関連付けられていることを検証することに関連付けられた指示を受信するステップとを含み得る。
【０００４】
本発明の別の実施形態によって、ユーティリティプロバイダと消費者との間のエネルギー管理用の別の方法を開示する。この方法は、少なくとも１つのユーティリティメータにモバイルデバイスを関連付けるステップであって、モバイルデバイスが一意識別子を備え、少なくとも１つのユーティリティメータが可読コードを備える、関連付けるステップと、モバイルデバイスが少なくとも１つのユーティリティメータに関連付けられた可読コードを送信した後、モバイルデバイスからの通信を受信するステップと、モバイルデバイスが少なくとも１つのユーティリティメータに関連付けられていることを検証するステップと、消費者が、少なくとも１つのユーティリティメータに関連付けられたアカウント情報にアクセスすることを認可するステップとを含み得る。
【０００５】
さらに、本発明の別の実施形態によって、エネルギー管理システムを開示する。このシステムは、コンピュータプロセッサを含み得る。このシステムは、ユーティリティメータに関連付けられた可読コードを受信するように、さらに、モバイルデバイスに関連付けられた一意識別子を受信するように、可読コードが一意識別子に関連付けられていることを検証するように、かつ、モバイルデバイスに関連付けられた消費者が、少なくとも１つのユーティリティメータに関連付けられたアカウント情報にアクセスすることを認可するように動作可能であるコンピュータ実行可能命令を記憶するように動作可能であるメモリをさらに含み得る。
【０００６】
本発明の他の実施形態、態様、および特徴が、以下の詳細な説明、付随する図面、および添付の特許請求の範囲から、当業者に明らかとなろう。
【０００７】
次に、必ずしも一定の縮尺で描画しない、付随する図面に対する参照を行う。
【図面の簡単な説明】
【０００８】
【図１】本発明の実施形態による、ユーティリティプロバイダと消費者との間のエネルギー管理を実装するための例示的なシステムを示すコンピュータ環境のブロック図である。
【図２】本発明の実施形態による、ユーティリティプロバイダと消費者との間のエネルギー管理を実装するための一例のデータフローの詳細を例示する概略図である。
【図３】本発明の実施形態による、ユーティリティプロバイダと消費者との間のエネルギー管理を実装するための一例の方法の詳細を例示する流れ図である。
【図４】本発明の実施形態による、ユーティリティプロバイダと消費者との間のエネルギー管理を実装するための別の一例の方法の詳細を例示する流れ図である。
【発明を実施するための形態】
【０００９】
次に、本発明の例示的な実施形態を、本発明の一部であるが全部ではない実施形態を示す、付随する図面を参照して、以下でより十分に説明する。本発明は、多くの異なる形式で実施され得るものであり、本明細書に記載する実施形態に限定されると解釈されるべきではなく、むしろ、これらの実施形態は、本開示が適用可能な法的要件を満たすことになるように提供される。同じ番号は、全体を通して同じ要素を指す。
【００１０】
本発明の例示的な実施形態は、中でも、ユーティリティプロバイダと消費者との間のエネルギー管理用のシステムおよび方法を対象とする。本発明のいくつかの例示的な実施形態は、ユーティリティメータの可読コードがモバイルデバイスの一意識別子に関連付けられていることを検証することにより、消費者ユーティリティアカウントへのアクセスを提供することを対象とする場合がある。例えば、モバイルデバイスの一意識別子は、ユーティリティプロバイダに登録され得る。次いで、ユーティリティプロバイダは、モバイルデバイスの一意識別子を、ユーティリティメータの可読コードに関連付けることができる。モバイルデバイスは、モバイルデバイスの一意識別子およびユーティリティメータの可読コードを、ユーティリティプロバイダに送信することができる。次いで、ユーティリティプロバイダは、モバイルデバイスの一意識別子がユーティリティメータの可読コードに関連付けられていることを検証することができる。検証に基づいて、モバイルデバイスは、ユーティリティアカウントへのアクセスが認められ得る。
【００１１】
一部の実施形態では、消費者は、ユーティリティプロバイダにモバイルデバイスの一意識別子を登録すること、モバイルデバイスによってユーティリティプロバイダに可読コードを送信することであって、可読コードが、少なくとも１つのユーティリティメータに関連付けられている、送信すること、および、モバイルデバイスの一意識別子によって、モバイルデバイスが可読コードに関連付けられていることを検証することに関連付けられた指示を受信することができる。
【００１２】
さらに、一部の実施形態では、ユーティリティプロバイダは、少なくとも１つのユーティリティメータにモバイルデバイスを関連付けることであって、モバイルデバイスが一意識別子を備え、少なくとも１つのユーティリティメータが可読コードを備える、関連付けること、モバイルデバイスが少なくとも１つのユーティリティメータに関連付けられた可読コードを送信した後、モバイルデバイスからの通信を受信すること、モバイルデバイスが少なくとも１つのユーティリティメータに関連付けられていることを検証すること、および、消費者が、少なくとも１つのユーティリティメータに関連付けられたアカウント情報にアクセスすることを認可することができる。
【００１３】
一部の態様では、モバイルデバイスの一意識別子は、媒体アクセス制御アドレスである場合がある。他の態様では、可読コードは、クイックレスポンス（ＱＲ）コード、バーコード、または暗号化識別コードである場合がある。さらに他の態様では、モバイルデバイスは、スマートフォン、携帯電話、タブレットデバイス、またはハンドヘルド通信デバイスである場合がある。他の態様では、一部または全部の通信は、セキュアプラットフォーム上で遂行され得る。さらに他の態様では、モバイルデバイスの一意識別子は、複数のユーティリティプロバイダに登録され得る。
【００１４】
本発明のいくつかの実施形態は、消費者とユーティリティプロバイダとの間のエネルギー管理を容易にすることに対しての技術的解決策を提供することができる。一実施形態では、消費者に関連付けられたモバイルデバイス用の一意識別子、および、ユーティリティプロバイダに関連付けられたユーティリティメータ用の可読コードは、ユーティリティプロバイダにより管理され、ユーティリティメータに関連付けられたアカウント情報への消費者のアクセスを認可する目的で、相互に関連付けられ得る。このようにして、本発明のいくつかの実施形態は、エネルギー管理を助長し、容易にすることができる。
【００１５】
図１は、本発明の実施形態による、１つのコンピューティングデバイス１００などのシステムの例示的な概観を提供する。コンピューティングデバイス１００は、図１を参照して説明するものなどの、ただしそれらに限定されない、開示する特徴および付随する方法を実装可能な、任意の適したコンピューティングデバイスとして構成され得る。例としてであって、限定としてではなく、適したコンピューティングデバイスは、開示する特徴の全部または一部を記憶かつ実行可能な、パーソナルコンピュータ（ＰＣ）、サーバ、サーバファーム、データセンタ、または他の任意のデバイスを含み得る。
【００１６】
１つの例示的な構成では、コンピューティングデバイス１００は、少なくとも１つのメモリ１０２、ならびに１つもしくは複数の処理装置（すなわちプロセッサ（複数可））１０４を備える。プロセッサ（複数可）１０４は、ハードウェア、ソフトウェア、ファームウェア、またはそれらの組み合わせの形で適宜に実装され得る。プロセッサ（複数可）１０４のソフトウェアまたはファームウェアの実装形態は、説明する様々な機能を遂行するために任意の適したプログラミング言語で記述した、コンピュータ実行可能または機械実行可能の命令を含み得る。さらに、プロセッサ１０４は、ネットワーク、サーバ、コンピュータまたはモバイルデバイスに関連付けられ得る。
【００１７】
メモリ１０２は、プロセッサ（複数可）１０４上でロード可能かつ実行可能であるプログラム命令、および、これらのプログラムの実行の間に生成されるデータを記憶することができる。コンピューティングデバイス１００の構成およびタイプに応じて、メモリ１０２は、（ランダムアクセスメモリ（ＲＡＭ）などの）揮発性、および／または（リードオンリーメモリ（ＲＯＭ）、フラッシュメモリなどのような）不揮発性であり得る。コンピューティングデバイスまたはサーバは、磁気記憶装置、光ディスク、および／またはテープ記憶装置を含むが、それらに限定されない、追加的なリムーバブル記憶装置１０６および／または非リムーバブル記憶装置１０８をさらに含み得る。ディスクドライブおよびそれらの関連付けられたコンピュータ可読媒体は、コンピューティングデバイス用のコンピュータ可読命令、データ構造、プログラムモジュール、および他のデータの不揮発性の記憶をもたらすことができる。一部の実装形態では、メモリ１０２は、スタティックランダムアクセスメモリ（ＳＲＡＭ）、ダイナミックランダムアクセスメモリ（ＤＲＡＭ）、またはＲＯＭなどの、複数の異なるタイプのメモリを含み得る。
【００１８】
メモリ１０２、リムーバブル記憶装置１０６、および非リムーバブル記憶装置１０８は、すべて、コンピュータ可読記憶媒体の例である。例えば、コンピュータ可読記憶媒体は、コンピュータ可読命令、データ構造、プログラムモジュール、または他のデータなどの情報の記憶のために、任意の方法または技術で実装される、揮発性および不揮発性の、リムーバブルおよび非リムーバブルの媒体を含み得る。メモリ１０２、リムーバブル記憶装置１０６、および非リムーバブル記憶装置１０８は、すべて、コンピュータ記憶媒体の例である。存在し得るさらなるタイプのコンピュータ記憶媒体には、プログラマブルランダムアクセスメモリ（ＰＲＡＭ）、ＳＲＡＭ、ＤＲＡＭ、ＲＡＭ、ＲＯＭ、電気的消去可能プログラマブルリードオンリーメモリ（ＥＥＰＲＯＭ）、フラッシュメモリまたは他のメモリ技術、コンパクトディスクリードオンリーメモリ（ＣＤ−ＲＯＭ）、デジタルバーサタイルディスク（ＤＶＤ）または他の光記憶装置、磁気カセット、磁気テープ、磁気ディスク記憶装置または他の磁気記憶デバイス、または、所望の情報を記憶するために使用され得る、および、サーバもしくは他のコンピューティングデバイスによりアクセスされ得る他の任意の媒体があるが、それらに限定されない。上記の任意の組み合わせもまた、コンピュータ可読媒体の範囲内に含まれるべきである。
【００１９】
あるいは、コンピュータ可読通信媒体は、搬送波などのデータ信号または他の送信の内部で送信される、コンピュータ可読命令、プログラムモジュール、または他のデータを含み得る。
【００２０】
コンピューティングデバイス１００は、コンピューティングデバイス１００が、ネットワーク１２６上の記憶データベース、別のコンピューティングデバイスもしくはサーバ、ユーザ端末、および／または他のデバイスと通信することを可能にする通信接続（複数可）１１０をさらに包含し得る。コンピューティングデバイス１００は、キーボード、マウス、ペン、音声入力デバイス、タッチ入力デバイスなどのような入力デバイス（複数可）１１２、および、ディスプレイ、スピーカ、プリンタなどのような出力デバイス（複数可）１１４をさらに含み得る。
【００２１】
メモリ１０２の内容をより詳細に参照すると、メモリ１０２は、オペレーティングシステム１１６、ならびに、登録モジュール１１８を含む、本明細書で開示する特徴を実装するための、１つもしくは複数の、アプリケーションプログラムもしくはサービスを含み得る。登録モジュール１１８は、媒体アクセス制御（ＭＡＣ）アドレスなどの、ただしそれに限定されない、モバイルデバイスに関連付けられた一意識別子に関するデータを受信するように構成され得る。加えて、登録モジュール１１８はさらに、モバイルデバイスに関連付けられた一意識別子をメモリ１０２に記憶することができる。一態様では、登録モジュール１１８は、モバイルデバイスに関連付けられた一意識別子を、コンピューティングデバイス１００にアクセス可能なウェブサイト、キオスク端末、または他のポータルまたはネットワーク１２６によって受信することができる。
【００２２】
メモリ１０２は、関連付けモジュール１２０をさらに含み得る。関連付けモジュール１２０は、ユーティリティメータの可読コードをモバイルデバイスの一意識別子に関連付けるように構成され得る。加えて、関連付けモジュール１２０はさらに、ユーティリティメータの可読コードおよび一意識別子の関連付けをメモリ１０２に記憶することができる。
【００２３】
加えて、メモリ１０２は、検証モジュール１２２を含み得る。検証モジュール１２２は、関連付けモジュール１２０で遂行されるように、ユーティリティメータの可読コードがモバイルデバイスの一意識別子に関連付けられていることを検証するように構成され得る。
【００２４】
メモリ１０２は、アクセス認可モジュール１２４をさらに含み得る。アクセス認可モジュール１２４は、検証モジュール１２２で遂行されるような、ユーティリティメータがモバイルデバイスの一意識別子に関連付けられていることの検証に基づいて、消費者アカウントへのアクセスを提供するように構成され得る。
【００２５】
本明細書で説明する様々な命令、方法および技法は、１つまたは複数の、コンピュータまたは他のデバイスにより実行されるプログラムモジュールなどの、コンピュータ実行可能命令の一般的な文脈においてのものとみなされ得る。一般に、プログラムモジュールは、特定のタスクを遂行するための、または特定の抽象データタイプを実装するための、ルーチン、プログラム、オブジェクト、コンポーネント、データ構造などを含む。これらのプログラムモジュール等は、ネイティブコードとして実行される場合があり、または、仮想マシンもしくは他の実行時コンパイル実行環境などにおいて、ダウンロードかつ実行される場合がある。典型的には、プログラムモジュールの機能性は、様々な実施形態において所望されるように、組み合わされ得る、または分散され得る。これらのモジュールおよび技法の実装形態は、何らかの形式のコンピュータ可読記憶媒体に記憶され得る。
【００２６】
図１に示す一例のコンピューティングデバイス１００は、単に例として提供される。数多くの他の動作環境、システムアーキテクチャ、およびデバイス構成が可能である。したがって、本開示の実施形態は、任意の特定の動作環境、システムアーキテクチャ、またはデバイス構成に限定されると解釈されるべきではない。
【００２７】
図２は、本発明の実施形態による、ユーティリティプロバイダと消費者との間のエネルギー管理を容易にするための一例のデータフロー２００の詳細を例示する概略図である。図２に示す一例のデータフロー２００は、可読コード２０４を伴うユーティリティメータ２０２、および、一意識別子２０５を伴うモバイルデバイス２０６を利用する。データフロー２００は、消費者２０７に対して、ユーティリティプロバイダ２０８に関連付けられた消費者ユーティリティアカウント２０９へのアクセスの提供を容易にすることができる。消費者ユーティリティアカウント２０９は、ユーティリティメータ２０２に関連付けられたエネルギー使用量情報などの、ユーティリティプロバイダ２０８からのアカウント情報を含み得る。
【００２８】
データフロー２００は、２０７などの消費者により、２０６などのモバイルデバイスを使用して、ユーティリティメータ２０２の可読コード２０４をスキャンすることを開始する。モバイルデバイス２０６は、可読コード２０４を受信することができ、またはそれ以外では、ユーティリティメータ２０２の可読コード２０４がモバイルデバイス２０６の一意識別子２０５に関連付けられていることを検証するために、ユーティリティプロバイダ２０８でのサーバなどの、サーバまたは他のプロセッサベースのデバイスに、ネットワークを介して可読コード２０４を送信する（２１６）ことができる。図２に示す特定の実装形態では、可読コード２０４はクイックレスポンス（ＱＲ）コードである場合があり、モバイルデバイス２０６の一意識別子２０５は媒体アクセス制御（ＭＡＣ）アドレスである場合があり、モバイルデバイス２０６はスマートフォンである場合がある。しかしながら、バーコードまたは暗号化識別コードを含むが、それらに限定されない、任意の可読コードが使用され得ることを理解することができる。さらに、電話番号またはＩＰアドレスを含むが、それらに限定されない、任意の一意識別子が使用され得ることを理解することができる。さらに、携帯電話、タブレットデバイス、またはハンドヘルド通信デバイスを含むが、それらに限定されない、任意のモバイルデバイスが使用され得ることを理解することができる。
【００２９】
さらに図２を参照すると、一態様では、可読コード２０４は、ユーティリティメータ２０２の上または周囲に配置され得る。モバイルデバイス２０６は、コードの読み取り、検知、検出、または受信が可能である、カメラまたは他のデバイスを使用して、可読コード２０４をスキャンすることができる。モバイルデバイス２０６の一意識別子２０５およびユーティリティメータ２０２の可読コード２０４は、ユーティリティプロバイダ２０８に送信される（２１６）。次いで、ユーティリティプロバイダ２０８は、モバイルデバイス２０６の一意識別子２０５がユーティリティメータ２０２の可読コード２０４に関連付けられていることを検証する（２１０）ことができる。検証に基づいて、消費者ユーティリティアカウント２０９へのアクセス２１２が認められ得る。反対に、モバイルデバイス２０６の一意識別子２０５がユーティリティメータ２０２の可読コード２０４に関連付けられていないならば、消費者ユーティリティアカウント２０９への消費者のアクセスは拒否される（２１４）場合がある。
【００３０】
図３は、本発明の実施形態による、ユーティリティプロバイダと消費者との間のエネルギー管理を実装するための方法３００の一例の流れ図を例示する。一例では、図１の例示的なコンピューティングデバイス１００、および／または、例示的なコンピューティングデバイス１００の１つもしくは複数のモジュールが、単独で、または組み合わせで、方法３００の説明する動作を遂行することができる。
【００３１】
この特定の実装形態では、方法３００は、図３のブロック３０２から開始することができ、そこでは、方法３００は、ユーティリティプロバイダへのモバイルデバイスの一意識別子の登録を含み得る。さらに、ブロック３０４では、方法３００は、モバイルデバイスによるユーティリティプロバイダへの可読コードの送信を含み得るものであり、可読コードが、可読コードを有する少なくとも１つのユーティリティメータに関連付けられ得る。ブロック３０６では、方法３００は、モバイルデバイスの一意識別子によって、モバイルデバイスが可読コードに関連付けられていることを検証することに関連付けられた指示の受信を含み得る。
【００３２】
図４は、本発明の実施形態による、ユーティリティプロバイダと消費者との間のエネルギー管理を実装するための方法４００の別の一例の流れ図を例示する。一例では、図１の例示的なコンピューティングデバイス１００、および／または、例示的なコンピューティングデバイス１００の１つもしくは複数のモジュールが、単独で、または組み合わせで、方法４００の説明する動作を遂行することができる。
【００３３】
この特定の実装形態では、方法４００は、図４のブロック４０２から開始することができ、そこでは、方法４００は、少なくとも１つのユーティリティメータへのモバイルデバイスの関連付けを含み得るものであり、モバイルデバイスが一意識別子を備え得るものであり、少なくとも１つのユーティリティメータが可読コードを備え得る。さらに、ブロック４０４では、方法４００は、モバイルデバイスが少なくとも１つのユーティリティメータに関連付けられた可読コードを送信した後、モバイルデバイスからの通信を受信するステップを含み得る。ブロック４０６では、方法４００は、モバイルデバイスが少なくとも１つのユーティリティメータに関連付けられていることを検証するステップを含み得る。検証に基づいて、ブロック４０８では、方法４００は、消費者が、少なくとも１つのユーティリティメータに関連付けられたアカウント情報にアクセスすることを認可するステップを含み得る。消費者がユーティリティアカウントへのアクセスを認められると、消費者はアカウントを利用することができる。例えば、消費者は、特定のユーティリティメータに関連付けられた建物の現在のエネルギー使用量をチェックし、アカウントを開始もしくは停止し、または請求書の支払を行うことができる。反対に、ブロック４１０では、可読コードがモバイルデバイスの一意識別子に関連付けられていないならば、消費者アカウントへのアクセスは拒否され得る。
【００３４】
ユーティリティメータの可読コードがモバイルデバイスの一意識別子に関連付けられていることを検証することにより、消費者ユーティリティアカウントへのアクセスを提供するための、例示的なシステムおよび方法が説明されている。これらのシステムおよび方法の、一部または全部を、上記の図１に示したものなどのアーキテクチャにより、少なくとも部分的に実装することはできるが、そのようにする必要はない。
【００３５】
実施形態を、構造的特徴および／または方法的行為に対して具体的な文言で説明したが、本開示は、説明した具体的な特徴または行為に必ずしも限定されないことを理解されたい。むしろ、具体的な特徴および行為は、実施形態を実装する例示的な形式として開示される。
【符号の説明】
【００３６】
１００  デバイス
１０２  メモリ
１０４  プロセッサ（複数可）
１０６  リムーバブル記憶装置
１０８  非リムーバブル記憶装置
１１０  接続（複数可）
１１２  入力デバイス（複数可）
１１４  出力デバイス（複数可）
１１６  オペレーティングシステム
１１８  登録モジュール
１２０  関連付けモジュール
１２２  検証モジュール
１２４  認可モジュール
１２６  ネットワーク
２００  データフロー
２０２  ユーティリティメータ
２０４  可読コード
２０５  一意識別子
２０６  モバイルデバイス
２０７  消費者
２０８  ユーティリティプロバイダ
２０９  消費者ユーティリティアカウント
２１０：ＭＡＣアドレスおよび可読コードが関連付けられていることを検証する
２１２：アカウントへのアクセスを許可する
２１４：アカウントへのアクセスを拒否する
２１６  送信する
３０２：ユーティリティプロバイダにモバイルデバイスの一意識別子を登録する
３０４：ユーティリティプロバイダに可読コードを送信し、可読コードが、可読コードを有する少なくとも１つのユーティリティメータに関連付けられている
３０６：モバイルデバイスの一意識別子によって、モバイルデバイスが可読コードに関連付けられていることを検証することに関連付けられた指示を受信する
４０２：少なくとも１つのユーティリティメータにモバイルデバイスを関連付け、モバイルデバイスが一意識別子を備え、少なくとも１つのユーティリティメータが可読コードを備える
４０４：モバイルデバイスが少なくとも１つのユーティリティメータに関連付けられた可読コードを送信した後、モバイルデバイスからの通信を受信する
４０６：可読コードが一意識別子に関連付けられていることを検証する
４０８：ユーティリティメータに関連付けられたアカウント情報へのアクセスを認可する
４１０：ユーティリティメータに関連付けられたアカウント情報へのアクセスを拒否する
【図１】
2013045455.tif 000003
【図２】
2013045455.tif 000004
【図３】
2013045455.tif 000005
【図４】
2013045455.tif 000006
【外国語明細書】
2013045455000001.pdf